(57)【特許請求の範囲】
【請求項１】
基板の第１の面に形成され、第１のアンテナ給電端子が設けられた第１の線路と、
前記基板の第２の面に形成され、前記第１のアンテナ給電端子と電気的に接続された第２のアンテナ給電端子と、電力測定装置が接続される測定用端子とが設けられた第２の線路とを有し、
前記第２の線路には、前記第２の線路を前記第２のアンテナ給電端子側と前記測定用端子側とに分離する導体除去部が設けられた分離端子を備え、
前記測定用端子に電力測定装置を接続する場合は、前記分離端子はショートピンを介して短絡されること
を特徴とする回路基板。
【請求項２】
前記第１のアンテナ給電端子または前記第２のアンテナ給電端子にアンテナが接続されることを特徴とする請求項１記載の回路基板。
【請求項３】
前記分離端子と前記測定用端子とが近接して設けられたことを特徴とする請求項１または２記載の回路基板。
【請求項４】
基板の第１の面に形成されるとともに、第１のアンテナ給電端子が設けられた、送信信号が伝送される第１の線路と、
前記基板の第２の面に形成され、前記第１の線路とスルーホールを介して接続される第２のアンテナ給電端子と、電力測定装置が接続される測定用端子とが設けられた第２の線路と、
前記第１のアンテナ給電端子または前記第２のアンテナ給電端子に接続されたアンテナとを有し、
前記第２の線路には、前記スルーホールの近傍に形成され、前記第２の線路を前記第２のアンテナ給電端子側と前記測定用端子側とに分離する導体除去部が設けられた分離端子を備え、
前記測定用端子に電力測定装置を接続する場合は、前記分離端子はショートピンを介して短絡されること
を特徴とする無線通信装置。
【発明の詳細な説明】
【０００１】
【発明の属する技術分野】
本発明は、例えば携帯電話等の無線通信装置に搭載される回路基板、このような回路基板を搭載した無線通信装置及びこのような回路基板を測定する測定用治具に関する。
【０００２】
【従来の技術】
一般に、携帯電話等の無線通信装置では、製品出荷の段階で送信電力が一定となるように調整する必要がある。このためアンテナとは別個に送信信号を取り出すための端子が装置内部に設けられている。
【０００３】
従来の無線通信装置では、例えば図６に示すように、パワーアンプ５０とマッチング回路５３を介したアンテナ５１との間の給電線路にコネクタ付きスイッチ５２を介挿し、コネクタ付きスイッチ５２に電力測定装置を接続して送信電力が一定となるようにパワーアンプ５０の利得を調整している。しかしながら、このような構成では、基板上にコネクタ付きスイッチ５２を配置するためのスペースが必要となるため、小型化が図れない、という問題がある。なお、図７に示すように、回路基板６２の裏側面にコネクタ付きスイッチ６３を配置することも考えられるが、この場合も上記とこれに相当するスペースが回路基板６２の表面側に必要とされる。また、アンテナへの給電をコネクタ式とし、アンテナを着脱可能として調整時にコネクタを介して電力を計測することも考えられるが、コネクタの部品コストが特に高価であるため、製品コストに相当影響を与えることになる。
【０００４】
そこで、図８に示すように、回路基板７０の例えばパワーアンプ５０の領域に対応する回路基板７０の裏面の領域に、コネクタ付きスイッチ７２を配置することで、装置の小形化を図ることができる。
【０００５】
【発明が解決しようとする課題】
しかしながら、コネクタ付きスイッチ７２に接続するための線路７１が裏側面で非常に長くなるため、この線路７１がアンテナ５１のインピーダンス特性に影響を与えていわゆるミスマッチング状態となり、パワーロス等の問題となる。また、この線路７１を介してノイズを拾い、受信特性等に悪影響を及ぼす恐れがある。
【０００６】
本発明は、このような課題を解決するためになされたもので、装置の電気的特性に悪影響を与えることなく線路上の測定用出力を取り出すことができる回路基板および無線通信装置を提供することを目的としている。
【０００７】
本発明の目的は、装置の小型化及び低コストを維持したまま上記の目的を達成できる回路基板および無線通信装置を提供することにある。
【０００８】
また、本発明の別の目的は、測定効率を向上させることができる回路基板および無線通信装置を提供することにある。
【０００９】
【課題を解決するための手段】
かかる課題を解決するため、請求項１記載に係る本発明の回路基板は、基板の第１の面に形成され、第１のアンテナ給電端子が設けられた第１の線路と、前記基板の第２の面に形成され、前記第１のアンテナ給電端子と電気的に接続された第２のアンテナ給電端子と、電力測定装置が接続される測定用端子とが設けられた第２の線路とを有し、前記第２の線路には、前記第２の線路を前記第２のアンテナ給電端子側と前記測定用端子側とに分離する導体除去部が設けられた分離端子を備え、前記測定用端子に電力測定装置を接続する場合は、前記分離端子はショートピンを介して短絡されることを特徴とする。
【００１０】
請求項２記載に係る本発明の回路基板は、請求項１記載の回路基板であって、前記第１のアンテナ給電端子または前記第２のアンテナ給電端子にアンテナが接続されることを特徴とする。
【００１１】
請求項３記載に係る本発明の回路基板は、請求項１または２記載の回路基板であって、前記分離端子と前記測定用端子とが近接して設けられたことを特徴とする。
【００１２】
請求項４記載に係る本発明の無線通信装置は、基板の第１の面に形成されるとともに、第１のアンテナ給電端子が設けられた、送信信号が伝送される第１の線路と、前記基板の第２の面に形成され、前記第１の線路とスルーホールを介して接続される第２のアンテナ給電端子と、電力測定装置が接続される測定用端子とが設けられた第２の線路と、前記第１のアンテナ給電端子または前記第２のアンテナ給電端子に接続されたアンテナとを有し、前記第２の線路には、前記スルーホールの近傍に形成され、前記第２の線路を前記第２のアンテナ給電端子側と前記測定用端子側とに分離する導体除去部が設けられた分離端子を備え、前記測定用端子に電力測定装置を接続する場合は、前記分離端子はショートピンを介して短絡されることを特徴とする。
【００１４】
本発明では、測定時以外は第２の線路が分離端子を介して電気的に分離されるので、装置の電気的特性に悪影響を与えることなく線路上の測定用出力を取り出すことができる。しかも、第２の線路上にこのような分離端子を設けるだけよいので、装置の小型化及び低コストを維持したまま上記の目的を達成できる。
【００１５】
また、本発明では、基板上に分離端子と測定用端子とを近接して配置し、測定装置側で測定用端子と分離端子とに同時に接触するようにコンタクトを構成することによって、測定効率を向上させることができる。
【００１６】
【発明の実施の形態】
次に、本発明の実施形態を図面を参照して説明する。
【００１７】
図１は本発明の一実施形態に係る無線通信装置の構成を示す図である。
【００１８】
同図に示すように、ベ−スバンドＩＣからなるベ−スバンド回路１０から出力されたＩチャンネル及びＱチャンネルのベ−スバンド信号は、直交変調器１１に入力されＩＦ信号に変調される。この変調されたＩＦ信号は、アップコンバ−タ１２によってＲＦ信号に変換される。このＲＦ信号はドライバアンプ１３及びパワ−アンプ１４を介して所定の電力に増幅される。増幅された信号は、アンテナ切換えスイッチ１５及びアンテナの給電端子１８ａ，１８ｂを介してアンテナ２２より空中に放射される。ここで、アンテナ２２としては例えばλ／４のアンテナ等を用いることができる。
【００１９】
図２は図１に示す回路基板２１の表面と裏面を示す図であり、図２（Ａ）が回路基板２１の表面であり、図２（Ｂ）が回路基板２１の裏面である。
【００２０】
図２（Ａ）に示すように、回路基板２１の表面にはアンテナ給電端子１８ａが形成されている。アンテナ給電端子１８ａは図１に示したアンテナ給電線路１００を介してアンテナ切換えスイッチ１５に接続されている。
【００２１】
図２（Ｂ）に示すように、回路基板２１の裏面にも同様のアンテナ給電端子１８ｂが形成されている。表面のアンテナ給電端子１８ａと裏面のアンテナ給電端子１８ｂとは、スルーホール２４を介して接続されている。アンテナ２２は回路基板２１に穿設されている孔２３に固定され、いずれか一方のアンテナ給電端子１８ａ，１８ｂに接続されるようになっている。
【００２２】
回路基板２１の裏面のアンテナ給電端子１８ｂには、測定用線路２８が接続されている。測定用線路２８上でスルーホール２４の近傍には分離端子１９が形成されている。分離端子１９には、測定用線路２８を２つの線路２９、３０に分離する導体除去部２６が設けられている。分離端子１９により分離された測定用線路２８の一方の線路３０の先端には分離端子１９と近接して測定用端子としてのコネクタ（後述する。）が実装されるパッド２０が設けられている。なお、符号２７はコネクタのグランドが接続されるパッドを示している。
【００２３】
なお、回路基板２１は図示を省略したが内層にグランドパターンが形成された多層基板の構造となっている。これにより、回路基板２１の表裏間の干渉を軽減している。
【００２４】
図３は図２に示した回路基板２１にアンテナ２２と測定用端子としてのコネクタが実装された状態を示している。
【００２５】
同図に示すように、孔２３にアンテナ２２の固定用の突起２２ａが嵌合され、かつアンテナ２２とアンテナ給電端子１８ｂとが電気的に接続されている。回路基板２１の表面のパワ−アンプ１４が形成された領域に対応する裏面の領域にパッド２０が設けられており、このパッド２０上にコネクタ２０ａが実装されている。
【００２６】
図４はこのように構成された回路基板２１に対する電力測定装置の測定用治具の構成を示す図である。
【００２７】
同図に示すように、保持部材を構成するプレ−ト４１には回路基板２１のコネクタ２０ａに接続される測定用コネクタ３２が取り付けられている。また、プレ−ト４１には、測定用コネクタ３２と並設するようにショート用ピン４３が取り付けられている。測定用コネクタ３２とショート用ピン４３との間隔は、回路基板２１上のコネクタ２０ａと分離端子１９との間隔と一致している。測定用コネクタ３２の先端とショート用ピン４３の先端との高低差は、回路基板２１上のコネクタ２０ａ表面と分離端子１９表面との高低差と一致している。なお、ショート用ピン４３を収容する収容筒３４内には、ショート用ピン４３に弾性力を付与するためのバネ３４ａが収容されている。これによりショート用ピン４３が分離端子１９に接触する際の衝撃を和らげることができる。
【００２８】
図５は図４に示した測定用治具を使って回路基板２１を測定する状態を示している。
【００２９】
同図に示すように、回路基板２１上のコネクタ２０ａと分離端子１９に対してそれぞれ測定用コネクタ３２とショート用ピン４３を同時に接触する。これにより、分離端子１９の導通状態となってコネクタ２０ａよりパワーアンプ１４の出力を取り出すことが可能となる。すなわち、パワーアンプ１４の出力は、コネクタ２０ａ及び測定用コネクタ３２を介して電力測定装置に送られる。そして、この電力測定装置による測定結果に基づいてパワーアンプ１４等の利得、すなわち送信電力の調整を行うことができる。つまり、本実施形態では、一回の接触作業で分離端子１９の短絡と測定用コネクタ３２の接続を同時に行うことができる。これにより、測定効率を向上させることができる。
【００３０】
その後、測定用コネクタ３２とショート用ピン４３とを一体的に取り外すことにより、分離端子１９が再び分離状態（短絡解除）となって測定のための線路３０及びコネクタ２０ａがアンテナ給電線路１００から電気的に分離されることになる。これにより、装置の電気的特性に悪影響を与えることはなくなる。すなわち、アンテナ２２のインピーダンス整合に悪影響を与えることや不要なノイズを拾うようなことはなくなる。
【００３１】
なお、本発明は上述した終段用の端子ばかりでなく、他の端子、例えばハイインピ−ダンス回路や発振回路のチェック端子等にも適用することができる。
【００３２】
【発明の効果】
以上詳述したように、本発明によれば、基板と、前記基板の第１の面に形成された第１の線路と、前記基板の第２の面に形成され、前記第１の線路と接続された第２の線路と、前記第２の線路上に形成され、前記第２の線路を分離する導体除去部が設けられた分離端子と、前記分離端子により分離された第２の線路に接続された測定用端子とを具備したので、装置の電気的特性に悪影響を与えることなく線路上の測定用出力を取り出すことができ、しかも装置の小型化及び低コストを維持したまま上記の目的を達成できる。
【００３３】
また、本発明では、基板上に分離端子と測定用端子とを近接して配置した回路基板に対して、測定装置側で測定用端子と分離端子とに同時に接触するようにコンタクトを構成したので、測定効率を向上させることができる。
【図面の簡単な説明】
【図１】本発明の一実施形態に係る無線通信装置の構成を示す図である。
【図２】図１に示す回路基板の一例を示す図で、図２（Ａ）が表面、図２（Ｂ）が裏面を示している。
【図３】図２に示した回路基板にアンテナと測定用端子としてのコネクタが実装された状態を示す断面図である。
【図４】本発明に係る回路基板に対する電力測定装置の測定用治具の構成を示す図である。
【図５】図４に示した測定用治具を使って本発明に係る回路基板を測定する状態を示すずである。
【図６】従来の無線通信装置の構成を示す図である。
【図７】従来の無線通信装置の構成を示す図である。
【図８】従来の無線通信装置の構成を示す図である。
【符号の説明】
１４  パワ−アンプ
１５  アンテナスイッチ
１８ａ，１８ｂ  給電端子
１９  分離部
２０  パッド
２０ａ  コネクタ
２１  回路基板
２２  アンテナ
２３  孔
２４  スル−ホ−ル
２８  測定用線路
１００  アンテナ給電線路
【図１】
0003544845.tif 000002
【図２】
0003544845.tif 000003
【図３】
0003544845.tif 000004
【図４】
0003544845.tif 000005
【図５】
0003544845.tif 000006
【図６】
0003544845.tif 000007
【図７】
0003544845.tif 000008
【図８】
0003544845.tif 000009